(57)【要約】【目的】床板の敷設方向にかかわらず設置することができ、キッチンや洗面化粧台などの住宅付帯設備の前の床を局部的に加熱するための使用するに好適な床暖房用マットを提供する。【構成】床暖房用マット１０において、基材の長手方向に沿う一方の縁から基材の幅方向中心線を超える位置まで延長する第一の細長板状部材１４と、基材の長手方向に沿う他方の縁から基材の幅方向中心線を超える位置まで延長する第二の細長板状部材１５とが平行に且つ長手方向に互い違いに設けられている。隣接する第一の細長板状部材と第二の細長板状部材との間のピッチＰは床暖房用マット上に施工される床板（２）の幅寸法の約１／２である。各細長板状部材は基材の幅寸法の５５〜８０％の長さを有することが好ましい。【選択図】図１
2006038264.tif 000002
【特許請求の範囲】
【請求項１】
弾力性を有する材料で形成された基材と、基材の表面または内部に設けられた発熱手段と、発熱手段を含む基材の上に設けられる複数の細長板状部材とを有してなる床暖房用マットにおいて、細長板状部材は、基材の長手方向に沿う一方の縁から基材の幅方向中心線を超える位置まで延長する第一の細長板状部材と、基材の長手方向に沿う他方の縁から基材の幅方向中心線を超える位置まで延長する第二の細長板状部材とが平行に且つ長手方向に互い違いに設けられてなることを特徴とする床暖房用マット。
【請求項２】
隣接する第一の細長板状部材と第二の細長板状部材との間のピッチが床暖房用マット上に施工される床板の幅寸法の約１／２であることを特徴とする請求項１記載の床暖房用マット。
【請求項３】
各細長板状部材が基材の幅寸法の５５％以上の長さを有しており、隣接する第一の細長板状部材と第二の細長板状部材とが基材の幅方向中央において基材の幅の１０％以上に亘ってオーバーラップしていることを特徴とする請求項１または請求項２記載の床暖房用マット。
【請求項４】
各細長板状部材が基材の幅寸法の８０％以下の長さを有することを特徴とする請求項１または請求項２記載の床暖房用マット。
【発明の詳細な説明】
【技術分野】
【０００１】
本発明は電気式の床暖房装置に用いる床暖房用マットに関する。
【背景技術】
【０００２】
従来の電気式床暖房装置用のマットとして、下記特許文献１に記載されるように、柔軟性を有する基材上に、シート状物とヒーター線とを一体化させたヒーターシートを積層し、さらにヒーターシート上にアルミシートを介して小根太を設けて構成されたものが知られている。
【特許文献１】特開２００３−１６６７２０号公報
【０００３】
ここで、柔軟性を有する基材は、厚手の不織布や軟質合成樹脂発泡体などであり、ヒーターシートのヒーター線は基材上に蛇行状に設けられる。さらに、蛇行状に設けられるヒーター線の数条おきに蛇行間隔を広くした広間隔部が形成され、この広間隔部の各々に小根太が互いに平行に且つ所定方向に延長するように配置される。床板は、小根太の長手方向に対して直交する方向に敷設されるが、床板の長手方向の両端は小根太の上に位置するように設けられる。
【発明の開示】
【発明が解決しようとする課題】
【０００４】
従来の床暖房用マットは、一般に居間や食堂などにおいて比較的広い面積を暖房するものとして用いられるため、大判サイズとして提供されることが多い。また、このような用途に供されることから、従来の床暖房用マットの形状は正方形ないしそれに近い矩形状であり、したがって、小根太の長手方向を床板の敷設方向に対して直交するように床暖房用マットを設置するに際して、縦横いずれの方向にも設置することが可能である。
【０００５】
しかしながら、キッチンや洗面化粧台などの住宅付帯設備の前の床を局部的に加熱するために床暖房用マットを施工しようとするとき、これら住宅付帯設備の間口が一般に大きいので、この場所に設置する床暖房用マットの形状は必然的に横長となる。このため、従来の床暖房用マットは、大きさ、形状、設置方向の点から使用することができない場合がある。
【０００６】
したがって、本発明の課題は、床板の敷設方向にかかわらず設置することができ、キッチンや洗面化粧台などの住宅付帯設備の前の床を局部的に加熱するための使用するに好適な床暖房用マットを提供することである。
【課題を解決するための手段】
【０００７】
上記の課題を達成するため、請求項１にかかる本発明は、弾力性を有する材料で形成された基材と、基材の表面または内部に設けられた発熱手段と、発熱手段を含む基材の上に設けられる複数の細長板状部材とを有してなる床暖房用マットにおいて、細長板状部材は、基材の長手方向に沿う一方の縁から基材の幅方向中心線を超える位置まで延長する第一の細長板状部材と、基材の長手方向に沿う他方の縁から基材の幅方向中心線を超える位置まで延長する第二の細長板状部材とが平行に且つ長手方向に互い違いに設けられてなることを特徴とする。
【０００８】
本発明の床暖房用マットは、基材の表面または内部に設けられる発熱手段により発熱する熱を利用して床板を加熱し、もってこの床板の上部空間を暖房するもので、主としてキッチンや洗面化粧台などの住宅付帯設備の前の床あるいはトイレ床などを局部的に加熱するために用いられる。
【０００９】
本発明の床暖房用マットにおける基材は、不織布、網状シート、紙、孔あきシートなどの弾力性を有して圧縮可能なマット状材料で形成されることが好ましく、床下地材の上に設けられて発熱手段を床板の裏面に密着ないし極力近づける作用を果たす。基材の厚さは一般に数ｍｍ程度、たとえば約３ｍｍであるが、細長板状部材が固定される位置では規定の厚さ、たとえば０．５ｍｍに圧縮された状態で硬化している。
【００１０】
発熱手段は、電気的に発熱可能なものであって、線状発熱体（電気ヒーター線）、面状発熱体（面発熱体）などが例示される。発熱手段は、基材の表面に貼着または内部に埋設して設けられる。発熱手段として線状発熱体を用いる場合は蛇行状に設けることが好ましく、これにより基材の全面に亘って均一に熱を伝えやすくなる。なお、発熱手段の近傍でこれに沿わせて感熱線（センサー線）を設けると良い。感熱線を設けて温度制御することにより過熱を防止することができる。
【００１１】
細長板状部材は矩形断面形状を有し、床板からの圧縮力に十分耐える材料、たとえば合板、木質板、木質繊維板（ＭＤＦなど）、木削片板、単板積層板などの木質系材料、合成樹脂系材料、鉄、銅、アルミニウム合金などの金属系材料で形成される。
【００１２】
細長板状部材は、基材の長手方向に沿う一方の縁から基材の幅方向中心線を超える位置まで延長する第一の細長板状部材と、基材の長手方向に沿う他方の縁から基材の幅方向中心線を超える位置まで延長する第二の細長板状部材とからなり、これらが基材の上に平行に且つ長手方向において互い違いに設けられる。隣接する第一の細長板状部材と第二の細長板状部材との間のピッチ（距離）は、床暖房用マット上に施工される床板の幅寸法の約１／２である。これにより、床板の敷設方向を細長板状部材の長手方向に一致させて施工する場合において、床板の長手方向両縁を２つの第一（または第二）の細長板状部材の幅方向中心線に沿って各々位置させたときに、該床板の敷設方向の先端（床板の継目）の幅方向中央を、これら２つの細長板状部材の間に設けられている第二（または第一）の細長板状部材上に載置し、該細長板状部材に対して釘などの固定手段を用いて固定することができる。
【００１３】
また、各細長板状部材の長さは、基材の長手方向に沿う縁からその幅方向中央線を越える位置に至る長さ、言い換えれば基材の幅寸法の１／２以上であり、特に基材の幅寸法の５５％〜８０％の範囲とすることが好ましい。床板の敷設方向を細長板状部材の長手方向に一致させて施工する場合（図４）、細長板状部材の長さを基材の幅の５５％以上とすることにより、隣接する２つの第一(または第二)の細長板状部材の間に第二（または第一）の細長板状部材が基材幅の１０％以上に亘ってオーバーラップした状態で存在することになるので、その長手方向に沿う両縁をを２つの第一(または第二)の細長板状部材上に支持し（２点支持）、または床板の継目がオーバーラップ部に位置するときは同様にその長手方向に沿う両縁をを２つの第一(または第二)の細長板状部材上に支持するとともにその幅方向中央を第二（または第一）の細長板状部材上に支持し（３点支持）、あるいは少なくともその幅方向中央を第二（または第一）の細長板状部材上に支持（１点支持）することができるので、床板の敷設方向先端（床板の継目）位置が基材幅方向のいずれの位置であっても、床板を安定的に支持することができる。
【００１４】
また、床板の敷設方向を細長板状部材の幅方向に一致させて施工する場合（図５）、細長板状部材の長さを基材の幅の５５％以上とすることにより、床板の長手方向に沿う縁が基材の幅方向中央において基材幅の１０％以上に亘るオーバーラップ部上に跨って載置されることになるので、床板が安定的に支持され、荷重による床板の長手方向の反りを防止することができる。
【００１５】
さらに、細長板状部材の長さを基材の幅の８０％以下とすることにより、細長板状部材同士の間を蛇行状に延長する発熱手段が通るための十分なスペースが、細長板状部材の先端と基材の長手方向に沿う縁との間に確保される。
【００１６】
なお、細長板状部材の下に位置する基材は、床板が固定された状態で圧縮された状態にあり、床暖房用マットの周囲に周辺パネルを設ける場合は、細長板状部材と基材の合計厚さが周辺パネルの厚さに一致する。
【００１７】
また、発熱手段の上に、発熱手段で発生した熱を床板に分散させる熱分散シートを設けて、暖房効率を向上させると良い。熱分散シートとしては、可撓性を有し熱伝導性の良いものであれば特に限定されないが、不織布・網・紙などの基材の表面に熱伝導性および可撓性を有する材料を貼着したものや、二枚の不織布などの間に熱伝導性および可撓性を有する材料を挟んで一体化したものなどを用いることができる。熱伝導性および可撓性を有する材料としては銅やアルミニウムなどの金属薄板や金属箔が好適である。
【００１８】
発熱手段や熱分散シートを基材に貼着する接着剤としては、たとえば酢酸ビニル系、酢酸ビニル・アクリル系、エチレン・酢酸ビニル系、アクリル・エチレン系、ウレタン系などを使用する。
【発明の効果】
【００１９】
本発明の床暖房用マットを床下地材上に設置するに際して、床板を細長板状部材に直交させて施工する場合には従来と同様の施工が可能であることに加えて、細長板状部材の長手方向に床板を敷設する場合には、細長板状部材が、床暖房用マット上に敷設される床板の幅寸法の約１／２の間隔を隔てて設けられているため、床板の長手方向の両縁をそれぞれ床暖房用マットの細長板状部材の中心線上に位置させることができ、しかも、床板の敷設方向先端（床板の継目）がいかなる位置にあっても細長板状部材の上で釘などの固定手段で固定することができるので、床板を細長板状部材で安定した状態で支持することができる。
【００２０】
したがって、本発明の床暖房用マットは、床板の敷設方向にかかわらず設置可能である。
【発明を実施するための最良の形態】
【００２１】
本発明による床暖房用マットの好適な一実施形態について、以下、添付図を参照して説明する。この実施形態の床暖房用マット１０は、床下地材３上に敷設され、電気エネルギーを利用してキッチン１前の床板２を加熱し、この床板２の上部空間を加熱暖房するもので、弾力性を有する材料（たとえば約３ｍｍ厚のスパンボンド不織布）で形成された不織布からなる基材１１と、基材１１に蛇行状に固定された電気ヒーター線１２とを備える。基材は平面視細長矩形状であり、この実施形態では幅Ｂ＝４６０ｍｍ×長さＬ＝１７１３ｍｍの大きさに形成されている。さらに、裏面に塗布された熱硬化性接着剤によりヒーター線１２を含む基材１１の上に貼着されてヒーター線１２で発生する熱の分散を促進する熱分散シート１３と、この熱分散シート１３上でヒーター線１２と重ならない位置に貼着された小根太１４および補助小根太１５とを備える。小根太１４と補助小根太１５はいずれも矩形横断面を有する長尺板材である。また、この実施形態では、ヒーター線１２と重ならないように感熱線１６が同じく基材１１上に蛇行状に固定されており、コントローラ（図示せず）を介してヒーター線１２による加熱温度を制御するとともに異常過熱を感知して防止する作用を果たしている。
【００２２】
床暖房用マット１０において、小根太１４，補助小根太１５の上面とヒーター線１２および/または感熱線１６の上端とは所定の垂直距離の差が与えられており、これにより、床板２を敷設したときにヒーター線１２および感熱線１６が基材１１に埋没し、小根太１４，補助小根太１５の上面とヒーター線１２，感熱線１６の上端とが一致する。すなわち、ヒーター線１２が熱分散シート１３を介して床板２裏面に圧接した状態となるので、ヒーター線１２による発熱を床板２の全面に亘って均一に伝えやすくなる。
【００２３】
小根太１４および補助小根太１５が本発明の細長板状部材を構成しており、本発明による床暖房用マットを特徴付けている。これらについて以下詳述する。
【００２４】
小根太１４は、その一端が基材１１の長手方向Ｘに沿う一方の縁１１ａ上に位置し、基材１１の幅方向中心線Ｃ１を超えて他方の縁１１ｂに向けて延長している。小根太１４同士の間には所定ピッチＰ１が設けられている。Ｐ１は、この床暖房用マット１０上に敷設される床板２の幅寸法に一致している。一方、補助小根太１５は、その一端が基材の縁１１ｂ上に位置し、基材１１の幅方向中心線Ｃ１を超えて反対側の縁１１ａに向けて延長している。補助小根太１５同士の間には所定ピッチＰ2が設けられており、Ｐ１＝Ｐ2である。また、補助小根太１５は、長手方向Ｘにおいて、隣接する２つの小根太１４の中間に配置されており、小根太１４と隣接する補助小根太１５との間の長手方向の間隔ＰはＰ１，Ｐ2の１／２となっている。
【００２５】
小根太１４と補助小根太１５の長さ（Ｉ0）は同じであり、既述したようにいずれも基材幅Ｂの５５％以上（４６０ｍｍ×０．５５＝２５３ｍｍ以上）であることが好ましいが、この実施形態ではＩ0＝２８８ｍｍとされており、これは基材幅Ｂの６２．６％に相当している。また、小根太１４と補助小根太１５とが基材中心線Ｃ１付近でオーバーラップしている幅方向オーバーラップ長さＩ１は基材幅Ｂの１０％以上（４６０ｍｍ×０．１０＝４６ｍｍ以上）であることが好ましいが、本実施例ではこのオーバーラップ長さＩ１＝１１６ｍｍであり、これは基材幅Ｂの２５．２％に相当している。
【００２６】
さらに、小根太と補助小根太の長さは、基材幅Ｂの８０％以下（４６０ｍｍ×０．８０＝３６８ｍｍ以下）であることが好ましいが、この実施形態ではＩ0＝２８８（６２．６％）であるから、この条件をも満たしている。これにより、小根太１４ないし補助小根太１５の先端と基材１１の長手方向に沿う縁との間に１７２ｍｍの距離分の空間が確保されるので、電気ヒーター線１２が小根太１４ないし補助小根太１５と基材１１の長手方向に沿う縁との間を蛇行状に配設することが容易である。
【００２７】
小根太１４、補助小根太１５の幅は任意であるが、この実施形態では小根太１４の幅を４０ｍｍ、補助小根太１５の幅を２５ｍｍとしている。補助小根太１５の幅を小根太１４の幅に比べ小さくしたのは、小根太１４と補助小根太１５の間に蛇行させる電気ヒーター線１２および感熱線１６が通る幅を十分に確保するためであるが、特に限定的ではなく、これらを同一幅にしても良い。
【００２８】
小根太１４同士の間のピッチ（距離）Ｐ１は、床板幅Ｗ（図４および図５に示す）に一致させる。同様に、補助小根太１５同士の間のピッチ（距離）Ｐ2も床板幅Ｗに一致させる。補助小根太１５は基材長手方向Ｘにおいて小根太１４，１４の中間位置に設けられているので、隣接する小根太１４と補助小根太１５との間のピッチ（距離）Ｐは床板幅Ｗの１／２である。
【００２９】
電気ヒーター線１２および感熱線１６は、小根太１４と補助小根太１５との間を蛇行した後、基材１１の長手方向中央の片側縁寄りに設けた端子カバー１７にそれらの端末が引き込まれる。端子カバー１７からは２本のケーブル１８が引き出され、その先端には中間コネクター１９が設けられる。
【００３０】
この床暖房用マット１０の施工は、小根太１４，補助小根太１５をビスなどで基材１１越しに床下地材３に固定することによって行う。この固定状態において、小根太１４，補助小根太１５の下に位置する基材１１は圧縮され、床暖房用マット１０の上に床板２が敷設された状態で、床暖房用マット１０の周囲に設けられる周辺パネル（図示せず）と同じ厚さ、たとえば３ｍｍ厚とされる。なお、図２は小根太１４位置での断面を示しているが、補助小根太１５位置での断面も同様である。
【００３１】
図３（ａ）を参照して、小根太１４の長手方向中央の裏面には、基材１１への仮止め用の両面テープ２０が設けられている。また、小根太１４の長手方向両端近くには各々環状のマークＭ１、十字状のマークＭ２、「ネジ」および「取付位置」の文字、ならびに矢印が設けられる。
【００３２】
マークＭ１は小根太１４の幅方向中心線Ｃ2上に設けられる。マークＭ１は小根太１４固定手段であるビスの打ち込み位置を表示するもので、その中心にビスを打ち込んで小根太１４を床下地材３に固定する。
【００３３】
マークＭ２はマークＭ１の周囲に設けられ、マークＭ１の中心から９０度等間隔で放射状に描かれた４つの所定長さの線分からなる。マークＭ２を構成する４つの線分のうち、２つは小根太１４の中心線Ｃ2上に沿って長手方向に延長し、他の２つは小根太１４の幅方向に延長している。マークＭ２は、床板２を固定する際に打ち込む釘が小根太固定手段であるビスに当たるおそれがある釘打ち禁止位置を示しており、図示十字マークＭ２について言えば、４つの線分のいずれかの領域内から該線分の長手方向に向けて斜めに釘を打ち込むと、マークＭ１の中心に打ち込まれた小根太固定用のビスに当たるおそれがあることを示している。すなわち、床板の施工に当たり、マークＭ２の４つの線分上を避けた位置で釘を打ち込めばよいことが分かる。なお、釘の打ち込みは、床板２の長手方向および短手方向（幅方向）にある両雄実の上側基端部分に床板面に対して４５度の角度で打ち込むものとし、これを前提としてマークＭ２で釘打ち禁止位置を表示している。
【００３４】
図３（ｂ）を参照して、補助小根太１５の長手方向中央の裏面には、基材１１への仮止め用の両面テープ２１が設けられている。また、補助小根太１５の長手方向両端近くには各々環状のマークＭ１、十字状のマークＭ２、「ネジ」および「取付位置」の文字、ならびに矢印が設けられる。
【００３５】
補助小根太１５におけるマークＭ１およびマークＭ２の具体的構成や作用については、上述の小根太１４におけるマークＭ１およびマークＭ２の具体的構成や作用と同一であるので、説明を省略する。
【００３６】
図４は、この床暖房用マット１０をキッチン１の前方の床に設置した場合において、床板の敷設方向Ｙ１を床暖房用マット１０の小根太１４，補助小根太１５の長手方向に一致させた施工例を示す。キッチン１には、上述の床暖房用マット１０の他に大面積加熱用の床暖房用マット４が設置される。大面積加熱用の床暖房用マット４の設置に際しては、その小根太５の長手方向が床板の敷設方向Ｙ１に対して直交するように位置させる。また、床板の敷設方向先端の継目は小根太５上に位置させる。なお、符号６は冷蔵庫、符号７は食器棚を示す。
【００３７】
床板２は、合板、木質繊維板（ＭＤＦなど）、木削片板、単板積層板などの木質系が使用され、その表面は化粧面とされる。床板の大きさは、たとえば幅３０３ｍｍ×長さ１８１８ｍｍ×厚み９〜１２ｍｍのものが選定される。床板２は釘を用いて小根太を介して床下地材に固定される。
【００３８】
キッチン１の前縁１ａはキッチン下部の蹴込み部分（つま先が入る部分）の前面位置を示しており、床暖房用マット１０は、その長手方向に沿う縁と該蹴込み部分前面との間の距離ｄ＝０〜３０ｍｍとなるように設置される。前述のように、小根太１４同士の間のピッチＰ１は床板２の幅寸法に一致しているから、床暖房用マット１０の上に位置する床板２の敷設方向（長手方向）に沿う両縁をそれぞれ床暖房用マット１０の小根太１４の中心線Ｃ2上に位置させることができる。床板２の長手方向に沿う両縁を小根太１４の中心線Ｃ2上に位置させて、その雄実位置で釘などの固定手段を打ち込むことにより床板２を床下地材３に固定する。さらに、補助小根太１５上に床板２の先端中央を位置させて、床板の敷設方向先端の継目２ｂの中央を釘などの固定手段により固定する。
【００３９】
図５は、この床暖房用マット１０をキッチン１の前方の床に設置した場合において、床板の敷設方向Ｙ2を床暖房用マット１０の小根太１４，補助小根太１５の幅方向に一致させた施工例を示す。この場合は、床板２の敷設方向先端の継目２ｂを小根太１４の上に位置させるように敷設することにより、床板を小根太１４、補助小根太１５および周辺パネルで支え、且つ、小根太１４、補助小根太１５ないし周辺パネルを介して床下地材２に固定する。小根太１４と補助小根太１５は基材の幅方向中央において基材幅の１０％以上（この実施形態では２５．２％）に亘ってオーバーラップしているので、床板２の長手方向に沿う縁をこのオーバーラップ部上に跨って載置することができ、床板２が長手方向においてピッチＰ間隔で安定的に支持され、荷重による床板２の長手方向の反りが防止される。
【００４０】
図５におけるその他の構造と作用は図４に関して既述したと同様であるので、説明を省略する。
【図面の簡単な説明】
【００４１】
【図１】本発明に係る床暖房用マットの一実施形態を示す平面図である。
【図２】図１中Ａ−Ａ断面図である。
【図３】この床暖房用マットに用いる小根太の平面図（ａ）および補助小根太の平面図（ｂ）である。
【図４】この床暖房用マットをキッチンの前方の床に設置した場合において床板の敷設方向を該床暖房用マットにおける小根太・補助小根太の長手方向に一致させた施工例を示す平面図である。
【図５】この床暖房用マットをキッチンの前方の床に設置した場合において床板の敷設方向を該床暖房用マットにおける小根太・補助小根太の幅方向に一致させた施工例を示す平面図である。
【符号の説明】
【００４２】
１  キッチン
２  床板
３  床下地材
４  大面積加熱用の床暖房用マット
５  小根太
１０  床暖房用マット
１１  基材
１２  電気ヒーター線
１３  熱分散シート
１４  小根太（第一の細長板状部材）
１５  補助小根太（第二の細長板状部材）
１６  感熱線
１７  端子カバー
１８  ケーブル
１９  中間コネクター
２０，２１  両面テープ
【図１】
2006038264.tif 000003
【図２】
2006038264.tif 000004
【図３】
2006038264.tif 000005
【図４】
2006038264.tif 000006
【図５】
2006038264.tif 000007